(57)【特許請求の範囲】
【請求項１】
上部に開口部を有する箱状の本体と、
前記本体の開口部を塞ぐように設けられた天板と、
前記本体の内部に設けられ、前記天板上に載置された被加熱調理容器を加熱する加熱ユニットと、
前記加熱ユニットの側方に設けられた発光表示ユニットと、
を備える加熱調理器であって、
前記発光表示ユニットは、
前記天板と対向する上部に開口部を有するケースと、
前記ケース内に設けられた発光源と、
前記ケースの開口部を塞ぐように設けられた表示シートと、
を備え、
前記表示シートは、
前記発光源の光を通過させる通光部と、
前記通光部よりも前記加熱ユニットから離れた位置に設けられ、前記発光源の光を遮光する遮光部と、
を有し、
前記加熱ユニットは、外周部が略円形状に形成され、
前記ケースは、底壁が略二等辺三角形の形状を有し、当該略二等辺三角形の底辺側が前記加熱ユニットの外周部と対向するように配置され、
前記発光源は、前記遮光部の下方に配置されるとともに、前記ケースの底壁の前記底辺から離れた頂点の近傍に配置され、
前記ケースの底壁の前記底辺は、前記加熱ユニットの外周部に沿うように円弧状に形成されている、加熱調理器。
【請求項２】
前記発光表示ユニットは、高さ方向から見て前記表示シートの通光部と前記発光源との間に、前記発光源の光を遮光する遮光壁を有する、請求項１に記載の加熱調理器。
【請求項３】
前記遮光壁は、前記ケースの底壁から立設され、
前記遮光壁と前記表示シートとの間に前記発光源の光を通過させる隙間が設けられている、
請求項２に記載の加熱調理器。
【請求項４】
前記遮光壁は、前記隙間が前記発光源から離れるに従って大きくなるように、前記底壁からの高さが前記発光源から離れるに従って低くなるように形成されている、請求項３に記載の加熱調理器。
【請求項５】
前記遮光壁には、前記発光源の光を通過させるバイパス部が設けられている、請求項２に記載の加熱調理器。
【請求項６】
前記表示シートは、前記ケースに着脱可能に取り付けられている、請求項１に記載の加熱調理器。
【請求項７】
前記発光源は、表面実装型のＬＥＤである、請求項１に記載の加熱調理器。
【請求項８】
前記発光源は、複数の色を発色する表面実装型のＬＥＤである、請求項１に記載の加熱調理器。
【請求項９】
前記表示シートの通光部は、前記加熱ユニットの外周部に沿うように円弧状に形成され、
前記発光源は、互いに異なる色を発色する複数の表面実装型のＬＥＤを有し、
前記複数のＬＥＤは、前記通光部の両端部を結ぶ直線の中点を通り且つ当該直線に対して直交する方向に配列されている、
請求項１に記載の加熱調理器。
【請求項１０】
前記ケースは、前記発光源の光を反射する光反射材料で形成されている、請求項１に記載の加熱調理器。
【請求項１１】
前記表示シートの遮光部の前記発光源側の面には、前記発光源の光を反射させる光反射処理が施されている、請求項１に記載の加熱調理器。
【請求項１２】
前記表示シートの遮光部の前記発光源側の面には、前記光反射処理として白色印刷が施されている、請求項１１に記載の加熱調理器。
【請求項１３】
前記表示シートの通光部には、前記発光源の光を拡散させる光拡散処理が施されている、請求項１に記載の加熱調理器。
【発明の詳細な説明】
【技術分野】
【０００１】
本発明は、被加熱調理容器を載置すべき位置や加熱ユニットが加熱状態にあることなどを表示する発光表示ユニットを備えた加熱調理器に関するものである。
【背景技術】
【０００２】
近年、キッチンキャビネットの収納部の開閉形態は、使い勝手を向上させるために、扉式から引き出し式に変わってきている。また、従来からキッチンキャビネットに組み込まれる誘導加熱調理器などの加熱調理器の下方にも収納部が設けられているが、当該収納部においても引き出し式の収納部が増えてきている。キッチンキャビネットにおいては、より一層の収納量の確保が求められており、加熱調理器の下方の収納部の容積を大きく確保するために、当該収納部側に出っ張らない薄型の加熱調理器の開発が望まれている。【０００３】
従来の加熱調理器としては、例えば、特許文献１（特開２００４−２４７１８６号）に開示されたものがある。図１２は、従来の加熱調理器の平面図である。図１３は、図１２の加熱調理器の断面図である。図１４は、図１２の加熱調理器が備える発光表示ユニットの断面図である。図１５は、図１２の加熱調理器がキッチンキャビネットに組み込まれた状態を示す斜視図である。【０００４】
図１３及び図１５に示すように、従来の加熱調理器は、上部に開口部を有する箱状の本体６１と、本体６１の開口部を塞ぐように配置され、鍋などの被加熱調理容器（図示せず）が載置される平板状の天板６２とを備えている。【０００５】
図１３に示すように、本体６１の内部には、１つ以上の加熱ユニット６３が配置されている。加熱ユニット６３は、例えば、天板６２を介して被加熱調理容器を加熱する略円形状の誘導加熱コイルで構成されている。加熱ユニット６３の下方には、加熱ユニット６３の出力を制御する制御装置６４が設けられている。また、加熱ユニット６３の側方には、発光表示ユニット６５が設けられている。発光表示ユニット６５は、加熱ユニット６３によって被加熱調理容器を加熱する際に、被加熱調理容器を載置すべき位置や加熱ユニット６３が加熱状態であることなどを表示するものである。【０００６】
図１４に示すように、発光表示ユニット６５は、遮光性を有する箱体６６と、箱体６６の底壁の内面に配置された発光源６７とを備えている。発光源６７は、リードタイプの砲弾型のＬＥＤなどの点光源で構成されている。箱体６６は、上部が天板６２に対向するように配置されている。箱体６６の上部には開口部６８が設けられ、当該開口部６８は表示シート６９で覆われている。表示シート６９は、発光源６７から照射され開口部６８を通過した光を受けて全体が光るように、半透明な材料で形成されている。発光源６７と表示シート６９とは、表示シート６９の光りむらが少なくなるように、空間を空けて配置されている。
【先行技術文献】
【特許文献】
【０００７】
【特許文献１】特開２００４−２４７１８６号公報
【発明の概要】
【発明が解決しようとする課題】
【０００８】
前記従来の加熱調理器において薄型化を図ろうとした場合、発光表示ユニット６５の高さを抑えることが有効であると考えられる。発光表示ユニット６５の高さを抑えるには、発光源６７と表示シート６９との間の空間を狭くすることが考えられる。【０００９】
しかしながら、発光源６７と表示シート６９との間の空間を狭くすると、発光源６７が点光源であるため、表示シート６９の光むらが大きくなり、見栄えが悪くなる。【００１０】
また、被加熱調理容器の加熱時に空焚きなどが発生すると、被加熱調理容器の温度は、例えば３００℃近くに達する。この被加熱調理容器の熱が天板６２を通じて発光表示ユニット６５に伝達されると、発光源６７が劣化して、輝度が低下するとともに寿命が短くなる。【００１１】
被加熱調理容器からの熱の影響を小さくするには、発光源６７と天板６２との間に配置する表示シート６９を断熱材で構成することが考えられる。しかしながら、断熱材は、光を吸収してしまうので、表示シート６９としての機能を十分に果たすことができなくなる。【００１２】
このため、発光源６７は、被加熱調理容器からできる限り離して配置することが求められる。一方、表示シート６９は、使用者の目に触れるように、天板６２の近傍に配置することが求められる。すなわち、発光源６７と表示シート６９との間の空間を狭くすることにより、発光表示ユニット６５の高さを抑えることは困難である。【００１３】
従って、本発明の目的は、前記課題を解決することにあって、発光表示ユニットを備えた加熱調理器において、より一層の薄型化を実現することができる加熱調理器を提供することを目的とする。
【課題を解決するための手段】
【００１４】
前記目的を達成するために、本発明は以下のように構成する。
本発明の第１態様によれば、上部に開口部を有する箱状の本体と、
前記本体の開口部を塞ぐように設けられた天板と、
前記本体の内部に設けられ、前記天板上に載置された被加熱調理容器を加熱する加熱ユニットと、
前記加熱ユニットの側方に設けられた発光表示ユニットと、
を備える加熱調理器であって、
前記発光表示ユニットは、
前記天板と対向する上部に開口部を有するケースと、
前記ケース内に設けられた発光源と、
前記ケースの開口部を塞ぐように設けられた表示シートと、
を備え、
前記表示シートは、
前記発光源の光を通過させる通光部と、
前記通光部よりも前記加熱ユニットから離れた位置に設けられ、前記発光源の光を遮光する遮光部と、
を有し、
前記加熱ユニットは、外周部が略円形状に形成され、
前記ケースは、底壁が略二等辺三角形の形状を有し、当該略二等辺三角形の底辺側が前記加熱ユニットの外周部と対向するように配置され、
前記発光源は、前記遮光部の下方に配置されるとともに、前記底壁の前記底辺から離れた頂点の近傍に配置され、
前記ケースの底壁の前記底辺は、前記加熱ユニットの外周部に沿うように円弧状に形成されている、
加熱調理器を提供する。
【００１７】
本発明の第２態様によれば、前記発光表示ユニットは、高さ方向から見て前記表示シートの通光部と前記発光源との間に、前記発光源の光を遮光する遮光壁を有する、第１態様に記載の加熱調理器を提供する。
【００１８】
本発明の第３態様によれば、前記遮光壁は、前記ケースの底壁から立設され、
前記遮光壁と前記表示シートとの間に前記発光源の光を通過させる隙間が設けられている、
第２態様に記載の加熱調理器を提供する。
【００１９】
本発明の第４態様によれば、前記遮光壁は、前記隙間が前記発光源から離れるに従って大きくなるように、前記底壁からの高さが前記発光源から離れるに従って低くなるように形成されている、第３態様に記載の加熱調理器を提供する。
【００２０】
本発明の第５態様によれば、前記遮光壁には、前記発光源の光を通過させるバイパス部が設けられている、第２〜４態様のいずれか１つに記載の加熱調理器を提供する。
【００２１】
本発明の第６態様によれば、前記表示シートは、前記ケースに着脱可能に取り付けられている、第１〜５態様のいずれか１つに記載の加熱調理器を提供する。
【００２２】
本発明の第７態様によれば、前記発光源は、表面実装型のＬＥＤである、第１〜６態様のいずれか１つに記載の加熱調理器を提供する。
【００２３】
本発明の第８態様によれば、前記発光源は、複数の色を発色する表面実装型のＬＥＤである、第１〜６態様のいずれか１つに記載の加熱調理器を提供する。
【００２４】
本発明の第９態様によれば、前記表示シートの通光部は、前記加熱ユニットの外周部に沿うように円弧状に形成され、
前記発光源は、互いに異なる色を発色する複数の表面実装型のＬＥＤを有し、
前記複数のＬＥＤは、前記通光部の両端部を結ぶ直線の中点を通り且つ当該直線に対して直交する方向に配列されている、
第１〜６態様のいずれか１つに記載の加熱調理器を提供する。
【００２５】
本発明の第１０態様によれば、前記ケースは、前記発光源の光を反射する光反射材料で形成されている、第１〜９態様のいずれか１つに記載の加熱調理器を提供する。
【００２６】
本発明の第１１態様によれば、前記表示シートの遮光部の前記発光源側の面には、前記発光源の光を反射させる光反射処理が施されている、第１〜１０態様のいずれか１つに記載の加熱調理器を提供する。
【００２７】
本発明の第１２態様によれば、前記表示シートの遮光部の前記発光源側の面には、前記光反射処理として白色印刷が施されている、第１１態様に記載の加熱調理器を提供する。
【００２８】
本発明の第１３態様によれば、前記表示シートの通光部には、前記発光源の光を拡散させる光拡散処理が施されている、第１〜１２態様のいずれか１つに記載の加熱調理器を提供する。
【発明の効果】
【００２９】
本発明にかかる加熱調理器によれば、発光源を表示シートの遮光部の下方に配置して、表示シートの通光部からは発光源の光を直接見ることができないようにしている。すなわち、表示シートの通光部が発光源の光により間接照明されるようにしている。これにより、表示シートの光むらを大幅に抑えることができる。【００３０】
また、本発明にかかる加熱調理器によれば、通光部よりも加熱ユニットから離れた位置に遮光部を設けているので、当該遮光部の下方に配置される発光源は、加熱ユニットの上方に配置される被加熱調理容器から離れて配置されることになる。従って、発光源に対する被加熱調理容器からの熱の影響が小さくなり、発光源の輝度や寿命の低下を抑えることができる。【００３１】
従って、本発明にかかる加熱調理器によれば、発光源と表示シートとの間の空間を狭くすることができ、発光表示ユニットの高さを抑えて、加熱調理器のより一層の薄型化を実現することができる。
【図面の簡単な説明】
【００３２】
本発明のこれらと他の目的と特徴は、添付された図面についての好ましい実施形態に関連した次の記述から明らかになる。この図面においては、
【図１】図１は、本発明の第１実施形態にかかる加熱調理器の平面図であり、
【図２】図２は、本発明の第１実施形態にかかる加熱調理器の断面図であり、
【図３】図３は、本発明の第１実施形態にかかる加熱調理器の発光表示ユニットの分解斜視図であり、
【図４】図４は、本発明の第１実施形態にかかる加熱調理器の発光表示ユニットの組み立て斜視図であり、
【図５】図５は、本発明の第１実施形態にかかる加熱調理器の発光表示ユニットの断面図であり、
【図６】図６は、本発明の第２実施形態にかかる加熱調理器の発光表示ユニットの分解斜視図であり、
【図７】図７は、本発明の第２実施形態にかかる加熱調理器の発光表示ユニットの断面図であり、
【図８】図８は、本発明の第２実施形態にかかる加熱調理器の発光表示ユニットの他の組み立て斜視図であり、
【図９】図９は、本発明の第３実施形態にかかる加熱調理器の発光表示ユニットの断面図であり、
【図１０】図１０は、本発明の第３実施形態にかかる加熱調理器の発光表示ユニットの断面図であり、
【図１１】図１１は、発光表示ユニットが備える発光源の好ましい配置を示す平面図であり、
【図１２】図１２は、従来の加熱調理器の平面図であり、
【図１３】図１３は、従来の加熱調理器の断面図であり、
【図１４】図１４は、従来の加熱調理器の発光表示ユニットの断面図であり、
【図１５】図１５は、従来の加熱調理器をキッチンキャビネットに組み込んだ状態を示す斜視図である。
【発明を実施するための形態】
【００３３】
本発明の記述を続ける前に、添付図面において同じ部品については同じ参照符号を付している。
以下、本発明の実施形態について、図面を参照しながら説明する。なお、この実施形態によって本発明が限定されるものではない。
【００３４】
《第１実施形態》
図１〜図５を用いて、本発明の第１実施形態にかかる加熱調理器を説明する。図１は、本第１実施形態にかかる加熱調理器の平面図である。図２は、本第１実施形態にかかる加熱調理器の断面図である。図３は、本第１実施形態にかかる加熱調理器の発光表示ユニットの分解斜視図である。図４は、本第１実施形態にかかる加熱調理器の発光表示ユニットの組み立て斜視図である。図５は、本第１実施形態にかかる加熱調理器の発光表示ユニットの断面図である。
【００３５】
図１又は図２に示すように、本第１実施形態にかかる加熱調理器は、上部に開口部を有する箱状の本体２１と、本体２１の開口部を塞ぐように設けられ、鍋などの被加熱調理容器（図示せず）が載置される平板状の天板２２とを備えている。
【００３６】
本体２１の内部には、１つ以上の加熱ユニット２３が配置されている。図１及び図２は、加熱ユニット２３を２つ設けた例を示している。加熱ユニット２３は、例えば、天板６２を介して被加熱調理容器を加熱する誘導加熱コイルで構成されている。加熱ユニット２３の出力は、天板２２に設けられた操作部２４の運転ボタン２４ａ及び操作ボタン２４ｂを操作することによって調整することができる。
【００３７】
加熱ユニット２３の側方には、加熱ユニット２３の略円形状の外周部に沿うように、１つ以上の発光表示ユニット２５が設けられている。発光表示ユニット２５は、加熱ユニット２３によって被加熱調理容器を加熱する際に、被加熱調理容器を載置すべき位置や加熱ユニット２３が加熱状態であることなどを表示するものである。図１は、１つの加熱ユニット２３に対して４つの発光表示ユニット２５を均等な間隔で設けた例を示している。なお、発光表示ユニット２５を１つ設ける場合には、発光表示ユニット２５は、加熱ユニット２３の外周部に沿うようにリング状に形成されてもよい。
【００３８】
図３〜図５に示すように、発光表示ユニット２５は、遮光性を有するケース２６と、ケース２６内に設けられた発光源２８とを備えている。
【００３９】
ケース２６は、上部が天板２２と対向するように設けられている。天板２２は、少なくともケース２６の上部と対向する部分が光を透過するように構成されている。ケース２６は、底壁２６ｃが略二等辺三角形の形状を有し、当該略二等辺三角形の底辺２６ｃａ側が加熱ユニット２６の外周部と対向するように配置されている。なお、「略二等辺三角形」とは、完全な二等辺三角形のみならず、角を丸めたり、角を落としたり、辺を円弧状にするなどの変形を加えた二等辺三角形を含むことを意味する。すなわち、ケース２６の底壁２６ｃは、概ね二等辺三角形と認識し得る形状であればよい。
【００４０】
ケース２６の底壁２６ｃの底辺２６ｃａは、加熱ユニット２３の略円形状の外周部に沿うように円弧状に形成され、当該底辺２６ｃａには外周壁（側壁）の一部である反射壁２６ａが立設されている。すなわち、反射壁２６ａは、加熱ユニット２３の略円形状の外周部に沿うように円弧状に形成されている。
【００４１】
ケース２６の底壁２６ｃの２つの等辺２６ｃｂ，２６ｃｂには、それぞれ、外周壁の他部であるガイド壁２６ｂが立設されている。底壁２６ｃの底辺２６ｃａから離れた頂点の近傍には基板２７が配設され、当該基板２７上に発光源２８が配置（実装）されている。
【００４２】
発光源２８は、１つ以上の点光源を有している。図３〜図５は、点光源として２つの表面実装型のＬＥＤ２８ａ，２８ｂを設けた例を示している。ここでは、一方のＬＥＤ２８ａとして白色に発光するＬＥＤを使用し、他方のＬＥＤ２８ｂとして赤色に発光するＬＥＤを使用するものとする。
【００４３】
ケース２６の上部には開口部が設けられ、当該開口部は表示シート２９で塞がれている。表示シート２９は、発光源２８の光を通過させる通光部２９ａと、発光源２８の光を遮断する遮光部２９ｂとを有している。通光部２９ａは、略円形状の加熱ユニット２３の外周部に沿うように円弧状に形成されている。遮光部２９ｂは、通光部２９ａよりも加熱ユニット２３から離れた位置に設けられ、当該遮光部２９ｂの下方に発光源２８が配置されている。すなわち、発光源２８は、天板２２側から見た表示シート２９の通光部２９ａの投影面上に位置しないように配置されている。
【００４４】
また、加熱ユニット２３及び発光表示体２５の下方には、制御部３０が設けられている。制御部３０は、操作部２４の運転ボタン２４ａ及び操作ボタン２４ｂにされた操作に基づいて、加熱ユニット２３の出力や発光源２８の発光タイミングなどの制御を行う。
【００４５】
次に、本第１実施形態にかかる加熱調理器の基本的な動作の一例について説明する。
【００４６】
まず、運転ボタン２４ａがＯＮにされると、制御部３０の制御により発光表示ユニット２５の発光源２８のＬＥＤ２８ａが通電され、ＬＥＤ２８ａが白色に発光する。ＬＥＤ２８ａの光は、ケース２６の内面又は遮光部２９ｂの発光源２８側の面で反射され、通光部２９ａに導かれる。これにより、通光部２９ａがＬＥＤ２８ａの白色の光により間接照明され、被加熱調理容器を載置すべき位置が表示される。
【００４７】
被加熱調理容器を載置すべき位置に被加熱調理容器が載置されるとともに操作ボタン２４ｂが押されると、制御部３０の制御により加熱ユニット２３が駆動され、被加熱調理容器の加熱が開始される。この加熱の間、制御部３０の制御によりＬＥＤ２８ａに代えてＬＥＤ２８ｂが通電され、ＬＥＤ２８ｂが赤色に発光する。ＬＥＤ２８ｂの光は、ケース２６の内面又は遮光部２９ｂの発光源２８側の面で反射され、通光部２９ａに導かれる。これにより、通光部２９ａがＬＥＤ２８ｂの赤色の光により間接照明され、加熱ユニット２３が加熱状態にあることが表示される。
【００４８】
その後、被加熱調理容器の加熱を終了するために運転ボタン２４ａがＯＦＦにされると、制御部３０の制御によりＬＥＤ２８ｂが間欠的に通電され、ＬＥＤ２８ｂが点滅する。これにより、通光部２９ａがＬＥＤ２８ｂの赤色の光により間接照明されて点滅し、被加熱調理容器を載置すべき位置が高温であることが表示される。その後、所定時間経過、あるいは天板２２の温度が所定温度まで低下すると、制御部３０の制御によりＬＥＤ２８ｂの通電が停止され、通光部２９ａが消灯する。
【００４９】
以上、本第１実施形態にかかる加熱調理器によれば、発光源２８を表示シート２９の遮光部２９ｂの下方に配置して、表示シート２９の通光部２９ａからは発光源２８の光を直接見ることができないようにしている。すなわち、表示シート２９の通光部２９ａが発光源２８の光により間接照明されるようにしている。これにより、表示シート２９の光むらを大幅に抑えることができる。
【００５０】
また、本第１実施形態にかかる加熱調理器によれば、通光部２９ａよりも加熱ユニット２３から離れた位置に遮光部２９ｂを設けているので、当該遮光部２９ｂの下方に配置される発光源２８は、加熱ユニット２３の上方に配置される被加熱調理容器から離れて配置されることになる。従って、発光源２８に対する被加熱調理容器からの熱の影響が小さくなり、発光源２８の輝度や寿命の低下を抑えることができる。
【００５１】
従って、本第１実施形態にかかる加熱調理器によれば、発光源２８と表示シート２９との間の空間を狭くすることができ、発光表示ユニット２５の高さを抑えて、加熱調理器のより一層の薄型化を実現することができる。
【００５２】
また、本第１実施形態にかかる加熱調理器によれば、ケース２６の底壁２６ｃの底辺２６ｃａから離れた頂点の近傍に発光源２８を配置している。すなわち、加熱ユニット２３の外周部から最も離れたケース２６内の位置に発光源２８を配置するようにしている。これにより、発光源２８に対する被加熱調理容器からの熱の影響を小さくすることができ、発光源２８の輝度や寿命の低下を一層抑えることができる。また、底辺２６ｃａから離れた頂点の近傍に発光源２８を配置することで、発光源２８の光は、２つの等辺２６ｃｂから立設されたガイド壁２６ｂにガイドされ、より均一に且つ高輝度で通光部２９ａに到達する。従って、通光部２９ａを均一に且つ高輝度で光らせるために発光源２８をケース２６内の複数箇所に設けるなどの必要性を無くすことができる。
【００５３】
また、本第１実施形態にかかる加熱調理器によれば、ケース２６の反射壁２６ａを、加熱ユニット２３の外周部に沿うように円弧状に形成しているので、反射壁２６ａと加熱ユニット２３との距離を小さくすることができる。これにより、複数の加熱ユニット２３を隣接して配置するときに、互いの加熱ユニット２３間の距離を小さくすることが可能になり、加熱調理器をコンパクトに構成する、あるいは、同じスペースでより多くの加熱ユニット２３を配置することが可能になる。
【００５４】
また、従来の加熱調理器においては、発光源がリードタイプの砲弾型のＬＥＤで構成されているため、発光源の先端部の高さは、ＬＥＤ本体とリード部との合計高さとなる。これに対して、本第１実施形態にかかる加熱調理器によれば、発光源２８として表面実装型のＬＥＤ２８ａ，２８ｂを用いているので、サイズが小さいとともにリード部が無く、その分、発光源２８の高さを低くすることができる。これにより、発光表示ユニット２５の高さを抑えて、加熱調理器のより一層の薄型化を実現することができる。
【００５５】
また、本第１実施形態にかかる加熱調理器によれば、発光源２８が白色に発光するＬＥＤ２８ａと赤色に発光するＬＥＤ２８ｂとを有しているので、被加熱調理容器を載置すべき位置の表示など、目的に応じて通光部２９ａの発光色を変えることができる。これにより、視認性を向上させることができる。なお、ＬＥＤ２８ａ，２８ｂの点灯のタイミング、点滅等の点灯のさせ方、発光色などについては、前記に限定されるものではなく、任意に設定することができる。
【００５６】
なお、本第１実施形態にかかる加熱調理器において、表示シート２９は、ケース２６に着脱可能に取り付けられることが好ましい。これにより、通光部２９ａの曲率が互いに異なる複数の表示シート２９を用意し、加熱ユニット２３の外径に応じて発光表示ユニット２５の表示シート２９を交換することで、様々な外径の加熱ユニット２３に発光表示ユニット２５を適用することができる。従って、発光表示ユニット２５の汎用性を向上させることができる。また、ケース２６の形状を変える必要がないので、１つの金型でケース２６を製造することができ、製造コストを削減することができる。なお、表示シート２９をケース２６に着脱可能に取り付ける手段としては、例えば、両面粘着テープを用いる接着手段が挙げられる。
【００５７】
また、本第１実施形態にかかる加熱調理器において、表示シート２９の遮光部２９ｂの発光源２８側の面には、発光源２８の光を反射する光反射処理が施されることが好ましい。また、ケース２６は、発光源２８の光を反射する光反射材料で形成されることが好ましい。これにより、ケース２６の内面又は遮光部２９ｂの発光源２８側の面で反射されて通光部２９ａに導かれる発光源２８の光の量を大きくして、通光部２９ａをより均一に且つ高輝度で光らせることができる。なお、遮光部２９ｂの発光源２８側の面の光反射処理としては、例えば、白色印刷が挙げられる。白色印刷に用いる白色顔料は光反射率が高いので、遮光部２９ｂの発光源２８側の面に白色印刷を施すことで、通光部２９ａの輝度を約２倍にすることができる。
【００５８】
また、本第１実施形態にかかる加熱調理器においては、ケース２６の底壁２６ｃの一部又は全部を、発光表示ユニット２５を取り付けるベース、又は基板２７などと共用するように形成してもよい。この場合、ケース２６内に露出するベース又は基板２７などの表面にも反射処理を施すことが好ましい。
【００５９】
また、本第１実施形態にかかる加熱調理器において、表示シート２９の通光部２９ａには、発光源２８の光を拡散させる光拡散処理を施されることが好ましい。これにより、通光部２９ａに導かれる発光源２８の光に多少のむらがあったとしても、通光部２９ａの光むらを抑えて、見栄えを大幅に向上させることができる。なお、通光部２９ａの光拡散処理としては、例えば、光拡散シートの貼付、スモーク処理などが挙げられる。
【００６０】
《第２実施形態》
図６〜図８を用いて、本発明の第２実施形態にかかる加熱調理器を説明する。図６は、本第２実施形態にかかる加熱調理器の発光表示ユニットの分解斜視図である。図７は、本第２実施形態にかかる加熱調理器の発光表示ユニットの断面図である。図８は、本第２実施形態にかかる加熱調理器の発光表示ユニットの組み立て斜視図である。本第２実施形態にかかる加熱調理器が前記第１実施形態にかかる加熱調理器と異なる点は、発光表示ユニット２５の高さ方向から見て表示シート２９の通光部２９ａと発光源２８との間に、発光源２８の光を遮光する遮光壁４１が設けられている点である。
【００６１】
発光表示ユニット２５の占有する面積を小さくするために、発光源２８と反射壁２６ａとの距離を小さくした場合には、発光源２８と通光部２９ａとの距離が小さくなる。この場合、発光源２８の光が通光部２９ａに直接到達する直接光の割合が増加し、通光部２９ａの光むらが大きくなる。具体的には、通光部２９ａの発光源２８の近傍部分が明るくなる一方で、通光部２９ａの発光源２８から離れた端部部分が暗くなる。
【００６２】
このため、本第２実施形態においては、発光表示ユニット２５の高さ方向から見て通光部２９ａと発光源２８との間に遮光壁４１が設けられている。遮光壁４１の大きさを調整することにより、発光源２８の光が通光部２９ａに直接到達する直接光を低減することができ、通光部２９ａの発光源２８の近傍部分と通光部２９ａの発光源２８から離れた端部部分との明るさのバランスを調整することができる。従って、発光源２８と通光部２９ａとの距離を小さくした場合であっても、通光部２９ａの光むらを抑えることができる。
【００６３】
なお、遮光壁４１を設けた場合には、通光部２９ａの遮光壁４１の近傍部分が暗くなりやすい。このことは、特に、遮光壁４１の高さＨ及び幅Ｗを大きくした場合に顕著になる。
【００６４】
このため、遮光壁４１と表示シート２９との間には、発光源２８の光を通過させるように隙間４２を設けることが好ましい。この隙間４２の大きさを調整することにより、通光部２９ａの発光源２８の近傍部分の明るさを調整することができる。
【００６５】
また、遮光壁４１は、図６及び図８に示すように、隙間４２が発光源２８から離れるに従って大きくなるように、高さＨが発光源２８から離れるに従って低くなるように形成されることが好ましい。これにより、隙間４２を通過する発光源２８の光の量を、通光部２９ａの発光源２８の近傍部分から通光部２９ａの発光源２８から離れた端部部分に向かうに従って大きくすることができ、通光部２９ａの光むらをより一層抑えることができる。
【００６６】
なお、遮光壁４１は、ケース２６の底壁２６ｃから立設されることが好ましい。これにより、ケース２６と遮光壁４１と一体成形することができ、容易に製造することができる。
【００６７】
《第３実施形態》
図９及び図１０を用いて、本発明の第３実施形態にかかる加熱調理器を説明する。図９は、本第３実施形態にかかる加熱調理器の発光表示ユニットの断面図である。図１０は、本第３実施形態にかかる加熱調理器の発光表示ユニットの断面図である。本第３実施形態にかかる加熱調理器が前記第２実施形態にかかる加熱調理器と異なる点は、遮光壁５１が表示シート２９とケース２６の底壁２６ｃとの間に隙間４２を設けることなく配置されている点である。
【００６８】
前記第２実施形態のように、表示シート２９と遮光壁４１との間に隙間４２を設けた場合、表示シート２９と遮光壁４１とが別部品であるため、隙間４２の大きさがばらつくおそれがある。この場合、通光部２９ａに少なからず光むらが発生することになる。
【００６９】
このため、本第３実施形態においては、遮光壁５１を厚み方向に貫通し発光源２８からの光を通過させるバイパス部５２が遮光壁５１に形成されている。これにより、遮光壁５１を通過する発光源２８の光の量を安定化することができ、通光部２９ａの光むらをより一層抑えることができる。
【００７０】
なお、図９及び図１０において、バイパス部５２は、遮光壁５１の下部に設けたが、本発明はこれに限定されない。例えば、バイバス部５２は、遮光壁５１の中央部に設けられてもよい。
【００７１】
なお、本発明は前記各実施形態に限定されるものではなく、その他種々の態様で実施できる。例えば、前記では、発光源２８が２つのＬＥＤ２８ａ，２８ｂを有する例を説明したが、本発明はこれに限定されない。例えば、発光源２８が互いに異なる色に発光する３つ以上のＬＥＤを有するように構成してもよい。この場合、通光部２９ａの発光色を多様化することができ、目的に応じて通光部２９ａの発光色を変えることで、視認性を一層向上させることができる。
【００７２】
また、前記では、ＬＥＤ２８ａ，２８ｂのいずれか一方のみを点灯又は点滅させ、両方が点灯しないようにしたが、本発明はこれに限定されず、ＬＥＤ２８ａ，２８ｂの両方を点灯させてもよい。白色に発光するＬＥＤ２８ａと赤色に発光するＬＥＤ２８ｂとを同時に点灯させることで、通光部２９ａをピンク色に発色させることができる。すなわち、２つのＬＥＤ２８ａ，２８ｂにより、通光部２９ａを白、赤、ピンクの３色に光らせることができる。
【００７３】
なお、ＬＥＤ２８ａ，２８ｂを同時に点灯させる場合、例えば図６に示すようにＬＥＤ２８ａ，２８ｂが通光部２９ａの延在方向に対して概ね平行に配列されていると、通光部２９ａの両端部の色が異なることになる。すなわち、通光部２９ａのＬＥＤ２８ａ側の端部は、うすいピンク色に光るのに対し、通光部２９ａのＬＥＤ２８ｂ側の端部は、濃いピンク色に光る。従って、通光部２９ａに色むらが発生し、見栄えが悪くなる。
【００７４】
このため、ＬＥＤ２８ａ，２８ｂは、図１１に示すように、通光部２９ａの両端部を結ぶ直線Ｌ１の中点Ｌ１ａを通り且つ当該直線Ｌ１に対して直交する方向Ｌ２に配列されることが好ましい。これにより、通光部２９ａに色むらを抑えて、見栄えを改善することができる。
【００７５】
なお、赤色、青色、又は緑色に発光する３つのＬＥＤで発光源２８を構成すると、通光部２９ａをほぼ全ての色に発色させることが可能になる。また、複数の色（例えば、赤色、青色、及び緑色）を発色する単一のＬＥＤで発光源２８を構成してもよい。
【００７６】
また、前記では、遮光壁５１は、遮光性のみを有するように構成したが、本発明はこれに限定されない。例えば、遮光壁５１を断熱材で形成するなどして、遮光壁５１が遮光性と遮熱性の両方の機能を有するように構成してもよい。これにより、発光源２８に対する被加熱調理容器からの熱の影響を一層小さくすることができ、発光源２８の輝度や寿命の低下をより一層抑えることができる。
【００７７】
なお、前記様々な実施形態のうちの任意の実施形態を適宜組み合わせることにより、それぞれの有する効果を奏するようにすることができる。
【産業上の利用可能性】
【００７８】
本発明にかかる加熱調理器は、発光表示ユニットを備えた加熱調理器において、より一層の薄型化を実現することができるので、特に、キッチンキャビネットに組み込まれる誘導加熱調理器として有用である。【００７９】
本発明は、添付図面を参照しながら好ましい実施形態に関連して充分に記載されているが、この技術に熟練した人々にとっては種々の変形や修正は明白である。そのような変形や修正は、添付した請求の範囲による本発明の範囲から外れない限りにおいて、その中に含まれると理解されるべきである。【００８０】
２００９年７月２４日に出願された日本国特許出願Ｎｏ．２００９−１７２６９２号の明細書、図面、及び特許請求の範囲の開示内容は、全体として参照されて本明細書の中に取り入れられるものである。
【図１】
0005547190.tif 000002
【図２】
0005547190.tif 000003
【図３】
0005547190.tif 000004
【図４】
0005547190.tif 000005
【図５】
0005547190.tif 000006
【図６】
0005547190.tif 000007
【図７】
0005547190.tif 000008
【図８】
0005547190.tif 000009
【図９】
0005547190.tif 000010
【図１０】
0005547190.tif 000011
【図１１】
0005547190.tif 000012
【図１２】
0005547190.tif 000013
【図１３】
0005547190.tif 000014
【図１４】
0005547190.tif 000015
【図１５】
0005547190.tif 000016